(57)【要約】  消費財用の容器およびそのような容器を形成するための層状ブランク（３００）。層状ブランクは、第一の平坦な壁（３２２）と、容器の面取りした端部を形成する第一の変更された端部（３１４０）によって第一の平坦な壁（３２２）に接続された第二の平坦な壁（３１４）と、容器の湾曲した端部を形成する第二の変更された端部（３１３０）によって第一の平坦な壁（３２２）に接続された第三の平坦な壁（３１６）と、を含む容器の一部分を画定する。第一の変更された端部（３１４０）の長手方向は、前記第二の変更された端部（３１３０）の長手方向に対して横断しており、容器が層状ブランクから組み立てられたとき、第一の変更された端部（３１４０）および第二の変更された端部（３１３０）は、接合部において接触する容器の隣接する端部を形成する。【選択図】図３
2018527257.tif 000002
【特許請求の範囲】
【請求項１】
消費者物品用容器であって、前記容器は層状ブランク（３００）から少なくとも部分的に形成され、前記層状ブランクは前記容器の一部分を画定し、前記ブランクが、
第一の平坦な壁（３２２）と、
前記容器の面取りした端部を形成する第一の変更された端部（３１４０）によって前記第一の平坦な壁（３２２）に結合された第二の平坦な壁（３１４）と、
前記容器の湾曲した端部を形成する第二の変更された端部（３１３０）によって前記第一の平坦な壁（３２２）に結合された第三の平坦な壁（３１６）と、を備え、
前記第一の変更された端部（３１４０）の長手方向が、前記第二の変更された端部（３１３０）の長手方向に対して横断しており、前記容器が前記薄層状ブランクから組み立てられたとき、前記第一の変更された端部（３１４０）および前記第二の変更された端部（３１３０）が、接合部において接触する前記容器の隣接する端部を形成し、
前記第一の変更された端部（３１４０）および前記第二の変更された端部（３１３０）のそれぞれが、前記それぞれの変更された端部の前記長手方向の長さおよび前記長さに対して横断方向に延びるそれぞれの幅を有し、
前記第一の変更された端部（３１４０）は周囲部を有し、前記周囲部が、
前記第一の変更された端部（３１４０）の前記長手方向にそれぞれ延伸する第一の虚弱線（３１４１）および第二の虚弱線（３１４２）と、
前記第一の虚弱線（３１４１）の先端と前記第二の変更された端部（３１３０）との接合部における前記第二の虚弱線（３１４２）の先端との間に延伸する自由端（３１４３）と、を備え、
前記第二の変更された端部（３１３０）は周囲部を有し、前記周囲部が、
前記第二の変更された端部（３１３０）の前記長手方向にそれぞれ延伸する第一の虚弱線（３１３１）および第二の虚弱線（３１３２）と、
前記第一の虚弱線（３１３１）の先端と前記第一の変更された端部（３１４０）との接合部における前記第二の虚弱線（３１３２）の先端との間に延伸する自由端（３１３３）と、を備え、
前記第一の変更された端部（３１４０）と前記第二の変更された端部（３１３０）のうちの少なくとも１つの前記自由端（３１３３、３１４３）が、湾曲した自由端部（３１３３ｂ、３１４３ｂ）および直線の自由端部（３１３３ａ、３１４３ａ）を含む、消費者物品用容器。
【請求項２】
前記第一の変更された端部（３１４０）の前記自由端（３１３４）が、湾曲した自由端部（３１４３ｂ）および直線の自由端部（３１４３ａ）を含む、請求項１に記載の容器。
【請求項３】
前記直線の自由端部（３１４３ａ）が、前記第一の変更された端部（３１４０）の前記第一の虚弱線（３１４１）から延伸し、前記湾曲した自由端部（３１４３ｂ）が、前記直線の自由端部（３１４３ａ）から延伸する、請求項２に記載の容器。
【請求項４】
前記第一の変更された端部（３１４０）の前記第一の虚弱線（３１４１）が、直線の部分（３１４１ｂ）および湾曲した部分（３１４１ａ）を含む、請求項２または３に記載の容器。
【請求項５】
前記第一の虚弱線（３１４１）の前記湾曲した部分（３１４１ａ）が、前記第一の虚弱線（３１４１）の前記先端を画定する、請求項４に記載の容器。
【請求項６】
前記第二の変更された端部（３１３０）の前記自由端（３１３３）が、実質的にＳの形の外形をもつ、請求項２〜５のいずれか１項に記載の容器。
【請求項７】
前記第二の変更された端部（３１３０）の前記自由端（３１３３）が、湾曲した自由端部（３１３３ｂ）および直線の自由端部（３１３３ａ）を含む、請求項１に記載の容器。
【請求項８】
前記直線の自由端部（３１３３ａ）が、前記第二の変更された端部（３１３０）の前記第二の虚弱線（３１３２）から延伸し、前記湾曲した自由端部（３１３３ｂ）が、前記直線の自由端部（３１３３ａ）から延伸する、請求項７に記載の容器。
【請求項９】
前記第一の変更された端部（３１４０）の前記第一の虚弱線（３１４１）および前記第二の虚弱線（３１４２）が、実質的に直線である、請求項７または８に記載の容器。
【請求項１０】
前記第二の変更された端部（３１３０）が、前記第二の変更された端部（３１３０）の前記第一の虚弱線（３１３１）と前記第二の虚弱線（３１３２）との間に配置された複数の追加的な虚弱線をさらに含み、前記複数の追加的な虚弱線が、前記第二の変更された端部（３１３０）の前記長手方向に実質的に延伸する、請求項１〜９のいずれか１項に記載の容器。
【請求項１１】
前記第二の変更された端部（３１３０）の前記複数の追加的な虚弱線が、第三の虚弱線（３１３４）を含み、前記第二の変更された端部（３１３０）の前記自由端（３１３３）が、前記第三の虚弱線（３１３４）から延伸する、請求項１０に記載の容器。
【請求項１２】
前記第三の虚弱線（３１３４）が、前記第二の変更された端部（３１３０）の前記第一の虚弱線（３１３１）に隣接して配置される、請求項１１に記載の容器。
【請求項１３】
前記第一の変更された端部（３１４０）の前記虚弱線（３１４１、３１４２）が、前記変更された端部の内部表面上の複数の切除された線である、請求項１〜１２のいずれか１項に記載の容器。
【請求項１４】
前記第二の変更された端部（３１３０）の前記虚弱線（３１３１、３１３２、３１３４、３１３５、３１３６）が、前記層状ブランクの複数の筋付け線である、請求項１〜１３のいずれか１項に記載の容器。
【請求項１５】
消費者物品用の容器を形成するための薄層状ブランクであって、前記薄層状ブランクが、
第一の平坦な壁（３２２）と、
前記容器の面取りした端部を形成する第一の変更された端部（３１４０）によって前記第一の平坦な壁（３２２）に結合された第二の平坦な壁（３１４）と、
前記容器の湾曲した端部を形成する第二の変更された端部（３１３０）によって前記第一の平坦な壁（３２２）に結合された第三の平坦な壁（３１６）と、を備え、
前記第一の変更された端部（３１４０）の長手方向が、前記第二の変更された端部（３１３０）の長手方向に対して横断しており、前記容器が前記薄層状ブランクから組み立てられたとき、前記第一の変更された端部（３１４０）および前記第二の変更された端部（３１３０）が、接合部において接触する前記容器の隣接する端部を形成し、
前記第一の変更された端部（３１４０）および前記第二の変更された端部（３１３０）のそれぞれが、前記それぞれの変更された端部の前記長手方向の長さおよび前記長さに対して横断方向に延びるそれぞれの幅を有し、
前記第一の変更された端部（３１４０）は周囲部を有し、前記周囲部が、
前記第一の変更された端部（３１４０）の前記長手方向にそれぞれ延伸する第一の虚弱線（３１４１）および第二の虚弱線（３１４２）と、
前記第一の虚弱線（３１４１）の先端と前記第二の変更された端部（３１３０）との接合部における前記第二の虚弱線（３１４２）の先端との間に延伸する自由端（３１４３）と、を備え、
前記第二の変更された端部（３１３０）は周囲部を有し、前記周囲部が、
前記第二の変更された端部（３１３０）の前記長手方向にそれぞれ延伸する第一の虚弱線（３１３１）および第二の虚弱線（３１３２）と、
前記第一の虚弱線（３１３１）の先端と前記第一の変更された端部（３１４０）との接合部における前記第二の虚弱線（３１３２）の先端との間に延伸する自由端（３１３３）と、を備え、
前記第一の変更された端部（３１４０）と前記第二の変更された端部（３１３０）のうちの少なくとも１つの前記自由端（３１３３、３１４３）が、湾曲した自由端部（３１３３ｂ、３１４３ｂ）および直線の自由端部（３１３３ａ、３１４３ａ）を含む、薄層状ブランク。
【発明の詳細な説明】
【技術分野】
【０００１】
本発明は、喫煙物品（例えば、紙巻たばこ）などの消費財を保持するための特定の用途がある、消費財用の容器、およびこうした容器を形成するためのブランクに関する。
【背景技術】
【０００２】
紙巻たばこおよび葉巻たばこなどの喫煙物品は、通常フリップトップボックスまたはヒンジ式リッド付きボックスなどの軟質包装箱または硬質包装箱で提供される。これらは、典型的には、ボックス前部壁、ボックス後部壁、ボックス側壁およびボックス底部を有するボックス部を有する。それらはまた、通常、リッド前部壁、リッド後部壁、リッド側壁およびリッド上部を有するリッド部を有する。リッド部は、典型的には、容器の後部壁を横切って延びるヒンジ線に沿って前記ボックス部にヒンジ留めされる。ヒンジ線は、通常、予め折られた線、縦罫線、または横罫線として提供される。
【０００３】
硬質包装箱では、ボックスおよびリッドのいくつかの隅角部に丸みをつけるまたは面取りして容器に特徴ある外観を与えることが知られている。容器の端（エッジ）を形成する区域でブランクに縦罫線または横罫線を与えることにより、これを実現することが以前は典型的であった。これらの線により、２つの隣接する壁の間で隅角部が急に曲がる代わりに徐々に曲がるような方法でブランクを折り曲げることが可能になる。
【０００４】
しかし、容器が、直交する角度などの角度を形成する丸みを付けたまたは面取りした隣接する端を含む場合、時には容器を形成するためのブランクの折り曲げの間に容器の強度および仕上げが影響される場合がある。一部の事例では、隣接する丸みを付けたまたは面取りした端の間の接合部に穴またはギャップを形成する可能性さえもある。こうして、容器の視覚的および触覚的な知覚が影響を受けるだけでなく、容器が構造的に損傷される場合もある。
【０００５】
それゆえ、組み立て操作の間に損傷される傾向がより少なく、かつ改善された見た目およびより滑らかな感触を持つ消費財のための容器を提供することが望ましい。特に、１つのこのような容器は、標準的な梱包装置および技法を使用して、既存の機械および方法に対する著しい変化を必要とすることなく組み立てるのが簡単であることが望ましい。同時に、生産および組立プロセスをより簡単にし、より柔軟で、かつ組み立てられた容器に損傷を生じる可能性をより低くする消費財用の容器を製造するためのブランクを提供することが望ましい。隣接した湾曲した端部に対して横断方向である面取りした端部を有する容器を提供することがさらに望ましく、ここにおいて、消費者が組み立てられた容器内の前記端部間の接合部において穴または隙間を見ることは（不可能でないにしても）困難である。
【発明の概要】
【０００６】
本発明の第一の態様によれば、消費者物品用容器が提供され、この容器は層状ブランクから少なくとも部分的に形成される。層状ブランクは第一の平坦な壁と、容器の面取りした端部を形成する第一の変更された端部によって第一の平坦な壁に接続された第二の平坦な壁と、容器の湾曲した端部を形成する第二の変更された端部によって第一の平坦な壁に接続された第三の平坦な壁と、を含む容器の一部分を画定する。第一の変更された端部の長手方向は、第二の変更された端部の長手方向に対して横断しており、容器が層状ブランクから組み立てられたとき、第一の変更された端部および第二の変更された端部は、接合部において接触する容器の隣接する端部を形成する。第一の変更された端部および第二の変更された端部のそれぞれは、それぞれの変更された端部の長手方向の長さおよびこの長さに対して横断方向に延伸するそれぞれの幅を有する。第一の変更された端部は、周囲部を有し、周囲部は、第一の変更された端部の長手方向にそれぞれ延伸する第一の虚弱線および第二の虚弱線と、第一の虚弱線の先端と第二の変更された端部との接合部における第二の虚弱線の先端との間に延伸する自由端とを含む。第二の変更された端部は、周囲部を有し、周囲部は、第二の変更された端部の長手方向にそれぞれ延伸する第一の虚弱線および第二の虚弱線と、第一の虚弱線の先端と第一の変更された端部との接合部における第二の虚弱線の先端との間に延伸する自由端とを含む。
【０００７】
第一の変更された端部と第二の変更された端部のうちの少なくとも１つの自由端は、湾曲した自由端部および直線の自由端部を含むことが好ましい。
【０００８】
本発明の第二の態様によると、消費者物品用の容器を形成するための層状ブランクが提供され、層状ブランクは、第一の平坦な壁と、容器の面取りした端部を形成する第一の変更された端部によって第一の平坦な壁に接続された第二の平坦な壁と、容器の湾曲した端部を形成する第二の変更された端部によって第一の平坦な壁に接続された第三の平坦な壁と、を含む容器の一部分を画定する。第一の変更された端部の長手方向は、第二の変更された端部の長手方向に対して横断しており、容器が層状ブランクから組み立てられたとき、第一の変更された端部および第二の変更された端部は、接合部において接触する容器の隣接する端部を形成する。第一の変更された端部および第二の変更された端部のそれぞれは、それぞれの変更された端部の長手方向の長さおよびこの長さに対して横断方向に延伸するそれぞれの幅を有する。第一の変更された端部は、周囲部を有し、周囲部は、第一の変更された端部の長手方向にそれぞれ延伸する第一の虚弱線および第二の虚弱線と、第一の虚弱線の先端と第二の変更された端部との接合部における第二の虚弱線の先端との間に延伸する自由端とを含む。第二の変更された端部は、周囲部を有し、周囲部は、第二の変更された端部の長手方向にそれぞれ延伸する第一の虚弱線および第二の虚弱線と、第一の虚弱線の先端と第一の変更された端部をもつ接合部における第二の虚弱線の先端との間に延伸する自由端とを含む。
【０００９】
第一の変更された端部と第二の変更された端部のうちの少なくとも１つの自由端は、湾曲した自由端部および直線の自由端部を含むことが好ましい。
【００１０】
当然のことながら、本発明の１つの態様に関連して説明した任意の特徴は、本発明のその他の任意の態様にも等しく適用できる。
【００１１】
２つの隣接した角張っていない（例えば、丸みのあるまたは面取りした）変更された端部を有する周知なブランク／容器と対照的に、本発明は、層状ブランクおよび層状ブランクから形成された容器に関連し、ここにおいて、隣接した変更された端部の自由端は、組み立ての間に容器内で形成される穴または隙間のリスクを減少する方法で構成される。特に、本発明は、隣接した丸みのある端部に対して横断方向である面取りした端部を有する容器に関連し、前記端部間の接合部にある前記端部の自由端は、容器が組み立てられた時に互いの外形を描くように構成され、したがって、消費者が組み立てられた容器内の前記自由端間の穴または隙間を見ることは（不可能でないにしても）困難である。面取りした端部および隣接した横軸方向の湾曲した端部を有する容器の特定の場合において、本発明者はしたがって、容器を前記自由端を配置してある特定の特徴をもつことがこの目的を達成することを大いに支持しうることを特定した。
【００１２】
例えば、第一の変更された端部の自由端は、第一の湾曲した自由端部を含み、第二の変更された端部の自由端は、第二の湾曲した自由端部を含むことが好ましい。そのような実施形態では、第一の変更された端部の第一の湾曲した自由端部は、第二の変更された端部の第一の湾曲した自由端部の湾曲の中心としての接合部の同一の側部に位置する湾曲の中心をもつことが好ましい。接合部の同一の側部に位置するように湾曲の２つの湾曲した自由端部の中心を配置することは、容器が組み立てられた時に前記自由端部が互いの外形を描くことを可能し、したがって、消費者が組み立てられた容器内の自由端間の穴または隙間を見ることは（不可能でないにしても）困難である。
【００１３】
さらに、第一の変更された端部と第二の変更された端部のうちの少なくとも１つの自由端は、湾曲した自由端部および直線の自由端部を含むことが好ましい。
【００１４】
例えば、図４ａおよび図４ｂに示す実施形態を含む第一のセットの好ましい実施形態では、第一の変更された端部の自由端は、第一の湾曲した自由端部および直線の自由端部を含む。直線の自由端部は、第一の変更された端部の第一の虚弱線から延伸し、湾曲した自由端部は、直線の自由端部から延伸することが好ましい。第一の変更された端部の第一の虚弱線は、直線の部分および湾曲した部分を含むことが好ましい。第一の虚弱線の湾曲した部分は、第一の虚弱線の先端を画定することが好ましい。
【００１５】
第一のセットの好ましい実施形態では、第二の変更された端部の自由端は、第一の変更された端部の第一の湾曲した自由端部の湾曲の中心としての接合部の同一の側部に位置する湾曲の中心をもつ第一の湾曲した自由端部を含むことが好ましい。このことは、容器が組み立てられた時に前記湾曲した自由端部が互いの外形を描くことを可能し、したがって、消費者が組み立てられた容器内の自由端間の穴または隙間を見ることは（不可能でないにしても）困難である。さらに、第二の変更された端部の自由端は、第二の湾曲した自由端部をさらに含み、第二の湾曲した自由端部は、第一の変更された端部の第一の湾曲した自由端部の湾曲の中心の位置、および第二の変更された端部の第一の湾曲した自由端部の湾曲の中心の位置に対して接合部の対向する側部に位置する湾曲の中心をもつことが好ましい。そのような好ましい実施形態では、このことは、第二の変更された端部の自由端が実質的にＳの形の外形をもつことをもたらしうる。本発明者は、そのような実質的にＳの形の外形が第一の変更された端部の湾曲した自由端部および直線の自由端部を完成させることができ、したがって、このことが消費者が組み立てられた容器内の自由端間の穴または隙間を見ることを（不可能でないにしても）困難にすることを特定した。
【００１６】
図５に示す実施形態を含む第二のセットの好ましい実施形態では、第二の変更された端部の自由端は、第一の湾曲した自由端部および直線の自由端部を含む。そのような実施形態では、直線の自由端部は、第二の変更された端部の第二の虚弱線から延伸し、湾曲した自由端部は、直線の自由端部から延伸することが好ましい。第二のセットの好ましい実施形態では、第一の変更された端部の第一の虚弱線および第二の虚弱線のそれぞれは、実質的に直線であることが好ましい。そのような実施形態では、第一の変更された端部の自由端は、第一の虚弱線の先端から第二の虚弱線の先端へと延伸する第一の湾曲した自由端部を含むことが好ましい。そのような実施形態では、第一の変更された端部の第一の湾曲した自由端部は、第二の変更された端部の第一の湾曲した自由端部の湾曲の中心としての接合部の同一の側部に位置する湾曲の中心をもつことが好ましい。本発明者は、第二のセットの実施形態のそのような好ましい特徴が、容器が組み立てられた時に前記自由端部が互いの外形を描くことに役立つことができ、したがって、消費者が組み立てられた容器内の自由端間の穴または隙間を見ることは（不可能でないにしても）困難であることを特定した。
【００１７】
「変更された端部」という用語は、本明細書で使用される場合、断面図に見られるように、角張っていない形状を有する容器の端部、または断面図に見られるように、折り畳まれた時に角張っていない形状を有する容器の端部を形成する層状ブランクの一部分を特に指す。これは、例えば、断面図に見られるように、円弧状形状を有する容器の端部である、「湾曲した端部」を指す場合がある。「円弧状」という用語から、円環状弧、放物線状弧、双曲線弧、楕円形状弧を含む任意の非直線が参照される。さらにこれは、例えば、断面図に見られるように、容器の隣接する壁と０〜９０度の角度を形成する実質的に真っ直ぐな形状を持つ容器の端部である「面取りした端部」を指す。
【００１８】
「筋付け線」という用語は、本明細書で使用されると、その周りでブランクを折り畳むことができるブランクの虚弱線を形成するための、例えば機械プレスまたは圧延によって機械的に変形された薄層状ブランクに沿った線を指す。具体的には、虚弱線は材料を除去することなく形成される。
【００１９】
「変更した縁部の実質的に長手方向に延伸する」という用語は、本明細書では、変更された端部の第一の点から変更された端部の第二の点まで延びる筋付け線または切除線であって、第一の点と第二の点が共に変更された端部の長手方向に対して２０度未満の角度を形成する仮想直線上にある、筋付け線または切除線を意味するために使用される。
【００２０】
「１対の筋付け線中の筋付け線の間の距離」という表現は、単一の筋付け線の対の２本の筋付け線の間の変更された端部の部分の幅を説明するために使用される。こうした距離は、変更された端部の幅に沿って、筋付け線のそれぞれの左右対称軸の間で測定されるものと解釈される。実際には、筋付け線は、変更された端部の長さに沿って延びるので、単一の対の隣接する筋付け線の間の距離は、それら線自体に対して実質的に垂直に測定される。
【００２１】
「隣接する筋付け線の対の間の距離」という表現は、２つの隣接する対の筋付け線を分離する変更された端部の部分の幅を説明するために使用される。こうした距離は、変更された端部の幅に沿って測定されると解釈される。実際には、筋付け線は、変更された端部の長さに沿って延びるので、筋付け線の隣接する対の間の距離は、筋付け線の主軸に対して実質的に垂直に測定される。
【００２２】
「近接する」という用語は、本明細書を通して、平坦な壁などの容器の他の構成要素に直接に隣接する一対の筋付け線を説明するために使用される。実際には、一部の実施形態では、容器の第一の平坦な壁に隣接する第一の対の筋付け線の一方は、容器の平坦な壁と容器の平坦な壁を別の平坦な壁に結合する変更された端部との間の実質的に境界で延びる。
【００２３】
「内部表面」という用語は、本明細書全体を通して、容器が組み立てられて、容器が閉じているときに、その容器の内部に面する（例えば、消費財に面する）ブランクの一部の側部を意味するために使用される。このように、内部表面は、容器が閉じているときには、消費者が直接見ることはできない。「外部表面」という用語は、本明細書全体を通して、容器が組み立てられると、その容器の外側に面するブランクの一部の側部を意味するために使用される。
【００２４】
「切除領域」という用語は、本明細書で使用される場合、変更された端部上のすべての切除された線を囲むブランクの最小領域を指す。
【００２５】
「切除された線」という用語は、本明細書で使用される場合、薄層状ブランクまたは容器の表面から材料が切除された（例えば、レーザービームまたはブレードによって取り除かれた）変更された端部の領域を指す。したがって、切除された線の残厚は、薄層状ブランクの厚み（Ｔ）より薄い。切除された線は、ブランク内の溝として提供されることが好ましい。これは、レーザーまたはブレードなどの線形切除ツールを用いて形成されてもよい。すべての切除された線が、ブランク内の平行溝により画定される実施形態では、切除領域の領域は、変更された端部のすべての溝を囲む領域と見なすことができる。このように、これらの実施形態では、切除領域の幅は、変更された端部の第一の溝から最後の溝へ、溝に対して横断方向に延びるものとみなしてもよい。
【００２６】
「残厚」という用語は、本明細書で使用される場合、薄層状ブランクまたはブランクから形成された容器の壁の２つの相反する表面の間を測定した最小距離を指す。実際には、所与の位置の距離は、相反する面に対して局所的に垂直方向に測定される。切除された線の「残厚」は、材料が切除された線のすべてにわたり実質的に均一に除去された場合、切除された線にわたり一定になりうる（平坦な断面）。あるいは、切除された線の残厚は、材料が切除された線にわたり非均一に除去された場合、切除された線の幅にわたり変化する場合がある（例えば、Ｖ型、Ｕ型の溝）。
【００２７】
本明細書で使用される場合、「前部」、「後部」、「上側」、「下側」、「上部」、「下部」および「側部」という用語は、出し入れ口を容器の上部に有する、容器が直立位置にあるときの、本発明による容器およびその構成要素の部分の相対的な位置を指す。特に、容器がヒンジ・リッド容器の場合には、これはリッドが閉位置になっていて、かつヒンジ線が容器の後部にある、直立位置にある容器を意味する。本発明による容器を記述する時、描写する容器の向きに関係なく、これらの用語が使用される。
【００２８】
「スプリングバック力」という用語は、薄層状ブランクの特定の特性を意味する当技術分野で既知の用語である。それは、「しわ回復性」とよく呼ばれ、１５秒間９０度に曲げられて折り目をつけられたサンプルを保持するために必要な力（Ｎ）を意味する。測定は、１５秒間の終わりになされる。薄層状ブランクの一部のスプリンバック力は、（例えば、市販のＭｅｓｓｍｅｒ  ａｎｄ  Ｂｕｃｈｅｌ（英国）から入手可能な）既知のＰＩＲＡ  Ｃｒｅａｓｅ  ａｎｄ  Ｂｏａｒｄ  Ｓｔｉｆｆｎｅｓｓ  Ｔｅｓｔｅｒを使用して測定することができる。当技術分野で既知であるように、容器の変更された端部のスプリングバック力を測定するためには、試験すべき部分のサンプルを、最初に薄層状ブランクから除去する必要がある。丸みのある隅角のパックでは、本発明の目的のために、パックのスプリングバック力は、３８±１ｍｍ×３８±０．５ｍｍの寸法のサンプルを用いて、ブランクの一方の側から２１±０．５ｍｍに配置された隅角部形成部とともに評価される。このブランクは、試験の前の少なくとも２４時間、２２℃、相対湿度６０％で調整する必要がある。
【００２９】
好ましい実施形態では、第二の変更された端部は、第二の変更された端部の第一の虚弱線と第二の虚弱線との間に配置された複数の追加的な虚弱線をさらに含み、複数の追加的な虚弱線は、第二の変更された端部の長手方向に実質的に延伸する。第二の変更された端部の複数の追加的な虚弱線は、第三の虚弱線を含み、第二の変更された端部の自由端は、第三の虚弱線から延伸することが好ましい。そのような実施形態では、第二の変更された端部の第三の虚弱線は、第二の変更された端部の第一の虚弱線に隣接して配置されることが好ましい。そのような実施形態では、第二の変更された端部の第三の虚弱線の先端は、第一の変更された端部の第二の虚弱線の先端に隣接することが好ましい。
【００３０】
以下でより詳細に述べるように、虚弱線は、層状ブランク内の１本以上の筋付け線として形成されうる。別の方法として、または追加的に、虚弱線は、層状ブランクの内部表面上の１本以上の切除された線の形態を得てもよい。
【００３１】
一部の好ましい実施形態では、第一の変更された端部の虚弱線は、前記変更された端部の内部表面上の複数の切除された線である。
【００３２】
別の方法として、または追加的に、一部の好ましい実施形態では、第二の変更された端部の虚弱線は、層状ブランクの複数の筋付け線である。
【００３３】
一部の特に好ましい実施形態では、第二の変更された端部は、薄層状ブランクの複数の筋付け線によって画定される。複数の筋付け線は、第二の変更された端部の全長にわたって第二の変更された端部の長手方向に延びることが好ましい。こうした実施形態では、複数の筋付け線は、第二の変更された端部の全長にわたって第二の変更された端部の長手方向に平行に延びることが好ましい。これは、筋付け線によって画定される湾曲した端部の画定を高める。筋付け線の数が増え、筋付け線の密度が大きくなるほど、容器を組み立てるときに端部が湾曲した形状を形成し得る。したがって、いくつかの好ましい実施形態では、第二の変更された端部が薄層状ブランクの少なくとも４つの筋付け線によって画定され、この少なくとも４つの筋付け線は第二の変更された端部の全長にわたって第二の変更された端部の長手方向に延びる。有利なことに、第二の変更された端部を複数の筋付け線から形成することによって、第二の変更された端部を既存の機械および技法を用いて形成し得る。例えば、第二の変更された端部が、容器の側部壁と前部壁または後部壁との間に配置されるものなどの容器の長手方向の端部を形成する場合、この長手方向の端部は、従来の丸みのある隅角部または面取りした端部の容器において既に利用されている機械および技法によって形成され得る。
【００３４】
上記のように、一部の実施形態において、第一の変更された端部および第二の変更された端部の両方は、薄層状ブランクの複数の筋付け線によってそれぞれ画定され得る。しかし、一部の好ましい実施形態では、代わりに、第一の変更された端部または第二の変更された端部のうちの一方は、変更された端部の内部表面上の複数の切除線によって画定される。
【００３５】
一部の好ましい実施形態では、第二の変更された端部は薄層状ブランクの複数の筋付け線によって画定され、第一の変更された端部は、それぞれが薄層状ブランクの厚み（Ｔ）未満の残厚を有する１つ以上の切除された線を含む切除領域を画定する内部表面を有する。こうした配置は、有利なことに、第一の変更された端部の形成に切除技術に関連する利点（設計の柔軟性など）を用いるとともに、既存の機械および技法を用いて第二の変更された端部を形成することを可能にする。
【００３６】
第一の変更された端部の切除領域は、第一の切除された線と切除領域の第一の部分の中の第一の変更された端部の長手方向に平行に延びる第二の切除された線を備え、第一および第二の切除された線のそれぞれは、第一の平坦な壁および第二の平坦な壁のそれぞれの１つに近接して配置されることが好ましい。
【００３７】
したがって、設計の柔軟性などの、切除技術に関連した利点を利用して、第二の変更された端部を形成するために既存の筋付け機械および技法をなおも利用するとともに、第一の変更された端部の潜在的により複雑な形状を形成し得る。
【００３８】
上記の通り、１つ以上の切除された線を利用して第一の変更された端部を画定することは、いくつかの利点を提供する。例えば、ブランクの外部表面は切除プロセスによる影響を受けないため、容器の結果としての第一の変更された端部周りの外部表面は、消費者の一部の視覚、触覚検査時により滑らかである。さらに、この滑らかな表面は比較的少ない数の切除された線を用いて得ることができるので、したがって限定された材料の除去で済み、丸み付きまたは面取り付き端部における容器の強度は、容器の外見および耐性の両方が有利に改善されるように調整され得る。
【００３９】
有利なことに、ブランクは、線形切除ツール（例えば、レーザ、ブレード）を用いて丸い隅角部から材料を正確に除去することにより製造されうる。切除ツールがブランクの所与の部分上を繰り返し通過することで、より高い割合の材料の制御された除去、すなわち、残厚の減少がもたらされる。
【００４０】
さらに、ブランクが第一の変更された端部で形状へと曲げられるとき、歪み全体の一部分が、切除された線の各々の厚さをより減った部分によって吸収され、それにより、結果として得られる容器の端部は、有利なことに、鋭いしわを用いて形成される場合より滑らかに所望の形状が得られると推測される。切除された線によってブランクに生成される虚弱は、変更された端部によって結合されるブランクの平坦な壁に印加される曲げ力の目立った調整を必要とせずに、こうした正確な形状を形成することを可能にする。したがって、第一の変更された端部は、それ自体が非従来の技法を用いて生成される必要があり得る切除された線によって画定され得るが、該端部の周りでブランクを折り曲げる実際の行為は、それ自体は大きく調整される必要はなく（必要があったとしても）、そのため、本発明による容器は、なおも従来の包装機において容易に組み立てることができる。
【００４１】
変更された端部が該変更された端部の内部表面上の１つ以上の切除線で画定される場合、それぞれの切除線が、ブランクの厚み（Ｔ）の少なくとも約５％の残厚を有することが好ましい。それぞれの切除線が、ブランクの厚み（Ｔ）の少なくとも約１０％の残厚を有することが、より好ましい。それぞれの切除線は、ブランクの厚み（Ｔ）の少なくとも約２０％の残厚を有することが、さらにより好ましい。追加、または代替として、それぞれの切除線が、ブランクの厚み（Ｔ）の約５０％未満の残厚を有することが、好ましい。それぞれの切除線が、ブランクの厚み（Ｔ）の約４０％未満の残厚を有することが、より好ましい。それぞれの切除線が、ブランクの厚み（Ｔ）の約３０％未満の残厚を有することが、さらにより好ましい。一部の特に好ましい実施形態では、それぞれの切除線が、ブランクの厚み（Ｔ）の約２０％の残厚を有することが、好ましい。
【００４２】
変更された端部が該変更された端部の内部表面上の１つ以上の切除線で画定される場合、それぞれの切除された線の切除された幅が、少なくとも約０．０１ｍｍであることが好ましい。それぞれの切除された線の切除された幅は、少なくとも約０．０５ｍｍであることがより好ましい。追加または代替として、それぞれの切除された線の切除された幅は、約０．４ｍｍ未満である。それぞれの切除された線の切除された幅は、約０．２ｍｍ未満であることがより好ましい。一部の好ましい実施形態では、それぞれの切除された線の切除された幅は、約０．０１ｍｍ〜約０．４ｍｍである。それぞれの切除された線の切除された幅は、約０．０５ｍｍ〜０．２ｍｍであることがさらにより好ましい。
【００４３】
容器は、変更された端部によって結合される２つの平坦な壁の間に約１０ミリニュートンメートル未満のスプリングバック力を有することが好ましい。ブランクは、変更された端部によって結合される２つの平坦な壁の間に約１０ミリニュートンメートル未満のスプリングバック力を有することが好ましく、約９ミリニュートンメートル未満を有することがより好ましく、約７ミリニュートンメートル未満を有することがさらにより好ましい。ブランクは、変更された端部によって結合される２つの平坦な壁の間に約３ミリニュートンメートル未満のスプリングバック力を有することが好ましく、約４ミリニュートンメートル未満を有することがより好ましい。
【００４４】
一部の好ましい実施形態では、第二の変更された端部は、薄層状ブランク中の複数の筋付け線によって画定される。こうした実施形態では、複数の筋付け線が複数の筋付け線の対を備え、すべての筋付け線が、第二の変更された端部の長手方向に平行に延び、変更された端部の幅（Ｗ）に沿って測定される、各対の２本の筋付け線の間の距離（Ｘ）が、前記変更された端部の幅（Ｗ）に沿って測定される、２対の隣接する筋付け線の間の距離（Ｙ）より短い。
【００４５】
驚くことに、こうした筋付け線の配置は、容器の丸み付き端部を形成すると、より簡単であり、消費者の一部の視覚、触覚検査時に、より滑らかな容器の外部表面を形成することになることが分かっている。さらに、容器の丸み付き端部は、相対的に少ない数の筋付け線で理論上の基準丸み付き形状に有効に近似させる。したがって、同時に、丸み付き隅角部で容器の力を良好に維持することができる。
【００４６】
各対の２本の筋付け線の間の距離（Ｘ）は、約１ｍｍ未満であることが好ましい。各対の２本の筋付け線の間の距離（Ｘ）は、約０．８ｍｍ未満であることがより好ましい。さらに、各対の２本の筋付け線の間の距離（Ｘ）は、少なくとも約０．４ｍｍであることが好ましい。各対の２本の筋付け線の間の距離（Ｘ）は、少なくとも約０．６ｍｍであることがより好ましい。
【００４７】
筋付け線の隣接する２つの対の間の距離（Ｙ）は、約１．２ｍｍ未満であることが好ましい。２対の隣接する筋付け線の間の距離（Ｙ）は、約１ｍｍ未満であることがより好ましい。追加、または代替として、２対の隣接する筋付け線の間の距離（Ｙ）は、少なくとも約０．６ｍｍである。２対の隣接する筋付け線の間の距離（Ｙ）は、少なくとも約０．８ｍｍであることがより好ましい。
【００４８】
理論に縛られることを望むものではないが、２対の隣接する筋付け線の間の距離（Ｙ）に対する各対の２本の筋付け線の間の距離（Ｘ）の特定の比率は、比較的少ない筋付け線でとりわけ滑らかな外観の丸みのある隅角部を提供可能なことが確認されている。具体的には、各対の２本の筋付け線の間の距離（Ｘ）が、２対の隣接する筋付け線の間の距離（Ｙ）の約７０％〜約８５％であることが好ましく、隣接する２つの筋付け線の対の間の距離（Ｙ）の約７５％〜約８０％であることがより好ましい。
【００４９】
一部の好ましい実施形態では、第二の変更された端部は、少なくとも第一の平坦な壁に近接する第一の筋付け線の対および第三の平坦な壁に近接する第二の筋付け線の対を備える。
【００５０】
一部の代替の実施形態では、変更された端部は、それぞれ第一の平坦な壁および第三の平坦な壁に隣接する第一の単一の筋付け線および第二の単一の筋付け線を備える。さらに、変更された端部は、少なくとも第一および第二の単一の筋付け線の間を延伸する第一の筋付け線の対および第二の筋付け線の対を備える。第一の筋付け線の対と第一の単一の筋付け線との間の距離（Ｚ１）または第二の筋付け線の対と第二の単一の筋付け線との間の距離（Ｚ２）または両方は、変更された端部の幅（Ｗ）に沿って測定される各対の２本の筋付け線との間の距離（Ｘ）より長い。第一の筋付け線の対と第一の単一の筋付け線との間の距離（Ｚ１）は、第二の筋付け線の対と第二の単一の筋付け線との間の距離（Ｚ２）と実質的に等しいことが好ましい。
【００５１】
第一の対の筋付け線と第一の単一の筋付け線との間の距離（Ｚ１）は、少なくとも約０．６ｍｍであることが好ましく、少なくとも約０．８ｍｍであることがより好ましい。第一の対の筋付け線と第一の単一の筋付け線との間の距離（Ｚ１）は、約１．２ｍｍ未満であることが好ましい。
【００５２】
筋付け線それぞれは、少なくとも約０．０５ｍｍの幅（ＣＷ）を有することが好ましく、少なくとも約０．１ｍｍを有することがより好ましく、少なくとも約０．２ｍｍを有することがさらにより好ましい。追加、または代替として、筋付け線それぞれは、約０．６ｍｍ未満の幅（ＣＷ）を有し、約０．５ｍｍ未満を有することが好ましく、約０．４ｍｍ未満を有することが好ましく、約０．３ｍｍ未満を有することが好ましく、約０．２ｍｍ未満を有することがさらにより好ましい。一部の好ましい実施形態では、筋付け線それぞれは、約０．０５ｍｍ〜約０．４ｍｍの幅（ＣＷ）を有し、約０．１ｍｍ〜約０．３ｍｍの幅を有することがより好ましい。
【００５３】
本発明によるブランクには、特に喫煙物品などの細長い消費財用の容器の製造のための用途がある。しかし、それはまた、菓子などのいくつかの他の種類の消費財用に使用することができる。具体的には、容器は、本発明によるブランクから形成することができ、薄層状ブランクは、ボックス前部壁、ボックス後部壁およびボックス前部壁とボックス後部壁との間を延伸するボックス側部壁を有するボックス部を含む容器の少なくとも一部を形成し、変更した縁部は、ボックス前部壁およびボックス後部壁の少なくとも一方をボックス側部壁に結合する。代替として、容器は、本発明によるブランクから形成することができ、薄層状ブランクは、リッド前部壁、リッド後部壁およびリッド前部壁とリッド後部壁との間を延伸するリッド側部壁を有するリッド部を含む容器の少なくとも一部を形成し、変更した縁部は、リッド前部壁およびリッド後部壁の少なくとも一方をリッド側部壁に結合する。
【００５４】
本発明によるブランクは、厚紙、板紙、プラスチック、金属、またはその組み合わせを含むがこれに限定されない、任意の適切な材料または材料の組み合わせから形成しうる。ブランクは、約１００グラム／平方メートル〜約３５０グラム／平方メートルの重さを持つ層状の厚紙ブランクであることが好ましい。好ましい実施形態では、ブランクは約２００μｍ〜約４００μｍの厚さを持ち、２５０μｍ〜３５０μｍの厚さを持つことがより好ましい。
【００５５】
本発明によるブランクから形成される容器は、適宜外部ラッパーを含んでもよく、例えば、高密度または低密度のポリエチレン、ポリプロピレン、方向性ポリプロピレン、ポリ塩化ビニリデン、セルロースフィルム、またはその組み合わせの透明高分子フィルムであることが好ましく、また外部ラッパーは、従来的な方法で適用される。外側ラッパーは開封テープを含みうる。さらに、外側ラッパーは画像、消費者情報、またはその他のデータを印刷されていてもよい。
【００５６】
さらに、消費者物品は、金属箔または金属化紙で形成される内部パッケージに覆われた包みの形態をしたような容器に入れても提供することができる。内側パッケージ材料は、金属化ポリエチレンフィルムおよびライナー材料のラミネートとして形成されうる。ライナー材料は、スーパー仕上げグラシンペーパーでもよい。さらに、内側パッケージ材料には、印刷受容性のトップコートを提供してもよい。内側パッケージは、容器のリッドがそれぞれの開位置にあるとき、消費財を除去することができる出し入れ口を有する。
【００５７】
ブランクは、幅の狭い２つの壁によって間隙を置いた幅の広い２つの壁を含む直方体の容器を形成するために好ましい。この容器によるブランクから形成可能なヒンジ式リッド付き容器は、典型的には、前部壁に２つの長手方向の丸み付きまたは面取り付きの縁、および／または後部壁に２つの長手方向の丸み付きまたは面取り付きの縁を含む。これらは随意に、１つ以上の丸み付きまたは面取り付きの横断縁と組み合わせてもよい。
【００５８】
容器が面取り付きの端を含む場合、面取り付きの端の幅は、約１ｍｍ〜約１０ｍｍであることが好ましく、約２ｍｍ〜約６ｍｍであることが好ましい。
【００５９】
本発明による容器は、例えば、紙巻たばこ、葉巻たばこまたはシガリロなど、細長い喫煙物品用のパックとしての特定用途がある。当然のことながら、その寸法を適切に選択することにより、本発明による容器は、異なる数の従来サイズ、キングサイズ、スーパーキングサイズ、スリムまたはスーパースリムの紙巻たばこ用に設計しうる。別の方法として、その他の消費財を容器内に収容してもよい。
【００６０】
寸法の適切な選択によって、本発明による容器は、異なる合計数の喫煙物品、または異なる配置の喫煙物品を保持するよう設計しうる。例えば、寸法の適切な選択によって、本発明による容器は、合計１０〜３０本の喫煙物品を保持するよう設計しうる。喫煙物品は、喫煙物品の合計数に応じて、異なる並べ方で配置しうる。本発明によるブランクから形成される容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約４０ｍｍ〜約１８０ｍｍ）、直径（例えば、約４ｍｍ〜約９ｍｍ）の喫煙物品も含みうる。容器の寸法は、喫煙物品の長さ、および喫煙物品の並べ方に適合させることが好ましい。容器の外部寸法は通常、容器内に収容された喫煙物品の束の寸法よりも約０．５ｍｍ〜約５ｍｍだけ大きい。本発明による容器の長さ、幅および奥行きは、容器の結果的な全体的寸法が、２０本の紙巻たばこの典型的な使い捨てパックの寸法と類似するような寸法としうる。
【００６１】
このように、容器内の喫煙物品の全体数および配置が、一般的に容器の最大幅および奥行き、したがって、上述の本発明による所定のブランクの形状の特性に直接影響を与えることになる。特に、いくつかの好ましい実施形態では、ダストフラップの側部のサイズは、所与の配置で予め決められた数の喫煙物品を、容器が確実に収容可能なように選択される場合がある。したがって、当業者であれば、本発明が、所与の配置で実質的に任意の数の喫煙物品を受容するために好適な容器を設計し製造する、有用で多用途のツールを提供することが理解されよう。
【００６２】
本発明による容器の高さは約６０ｍｍ〜約１５０ｍｍであることが好ましく、高さが約７０ｍｍ〜約１２５ｍｍであることがより好ましいが、ここで高さは、容器の底部壁から上部壁までを測定したものである。
【００６３】
本発明による容器の幅は約１２ｍｍ〜約１５０ｍｍであることが好ましく、幅が約７０ｍｍ〜約１２５ｍｍであることがより好ましいが、ここで幅は、容器の一方の側壁から他方の側壁までを測定したものである。
【００６４】
本発明による容器の奥行きは約６ｍｍ〜約１５０ｍｍであることが好ましく、奥行きが約１２ｍｍ〜約２５ｍｍであることがさらに好ましいが、ここで奥行きは、容器の前部壁から後部壁までを測定したものである。
【００６５】
容器の高さ対容器の奥行きの比は、約０．３対１〜約１０対１であることが好ましく、約２対１〜約８対１であることがさらに好ましく、約３対１〜５対１であることが最も好ましい。
【００６６】
容器の幅対容器の奥行きの比は、約０．３対１〜約１０対１であることが好ましく、約２対１〜約８対１であることがさらに好ましく、約２対１〜３対１であることが最も好ましい。
【００６７】
リッド後部壁の高さの、外側スリーブのボックス後部壁の高さに対する比は、約０対１（リッドが容器の上端に位置）〜約１対１であることが好ましく、約１対５〜約１対１０であることがさらに好ましく、約１対６〜約１対８であることが最も好ましい。
【００６８】
外側スリーブのリッド前部壁の高さの、外側スリーブのボックス前部壁の高さに対する比は、約１対０（リッドが前部壁全体を覆う）〜約１対１０であることが好ましく、約１対１〜約１対５であることがさらに好ましく、約１対２〜約１対３であることが最も好ましい。
【００６９】
容器の外部表面に相当する本発明によるブランクの表面は、製造元またはブランドのロゴ、商標、スローガンおよびその他の消費者情報およびしるしで、印刷、エンボス加工、デボス加工またはその他の方法で装飾しうる。
【００７０】
本発明による容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約４０ｍｍ〜約１８０ｍｍ）、直径（例えば、約４ｍｍ〜約９ｍｍ）の喫煙物品も含みうる。容器の寸法は、喫煙物品の長さ、および喫煙物品の並べ方に適合させることが好ましい。容器の外部寸法は通常、容器内に収容された喫煙物品の束の寸法よりも約０．５ｍｍ〜約５ｍｍだけ大きい。
【００７１】
本発明による容器の長さ、幅および奥行きは、容器の結果的な全体的寸法が、２０本の紙巻たばこの典型的な使い捨てパックの寸法と類似するような寸法としうる。
【００７２】
本発明による容器の高さは約６０ｍｍ〜約１５０ｍｍであることが好ましく、高さが約７０ｍｍ〜約１２５ｍｍであることがより好ましいが、ここで高さは、容器の底部壁から上部壁までを測定したものである。
【００７３】
本発明による容器の幅は約１２ｍｍ〜約１５０ｍｍであることが好ましく、幅が約７０ｍｍ〜約１２５ｍｍであることがより好ましいが、ここで幅は、容器の一方の側壁から他方の側壁までを測定したものである。
【００７４】
本発明による容器の奥行きは約６ｍｍ〜約１５０ｍｍであることが好ましく、奥行きが約１２ｍｍ〜約２５ｍｍであることがさらに好ましいが、ここで奥行きは、容器の前部壁から後部壁までを測定したものである。
【００７５】
容器の高さ対容器の奥行きの比は、約０．３対１〜約１０対１であることが好ましく、約２対１〜約８対１であることがさらに好ましく、約３対１〜５対１であることが最も好ましい。
【００７６】
容器の幅対容器の奥行きの比は、約０．３対１〜約１０対１であることが好ましく、約２対１〜約８対１であることがさらに好ましく、約２対１〜３対１であることが最も好ましい。
【００７７】
リッド後部壁の高さの、外側スリーブのボックス後部壁の高さに対する比は、約０対１（リッドが容器の上端に位置）〜約１対１であることが好ましく、約１対５〜約１対１０であることがさらに好ましく、約１対６〜約１対８であることが最も好ましい。
【００７８】
外側スリーブのリッド前部壁の高さの、外側スリーブのボックス前部壁の高さに対する比は、約１対０（リッドが前部壁全体を覆う）〜約１対１０であることが好ましく、約１対１〜約１対５であることがさらに好ましく、約１対２〜約１対３であることが最も好ましい。
【００７９】
本発明による容器の外部表面は、製造元またはブランドのロゴ、商標、スローガンおよびその他の消費者情報およびしるしを用いた、印刷、エンボス加工、デボス加工またはその他の方法で装飾されうる。
【００８０】
本発明による容器は、ブランクに１つ以上の筋付け線を形成する工程、および随意で、ブランクに１つ以上の切除された線を形成する工程を含むよう変更された従来の装置および方法を使用して充填され、組み立てられてもよい。切除された線は、レーザーまたはブレードなどの切除ツールを使用して生成されてもよい。レーザーツールに必要とされる調整は最小で、幅広い種類の切除プロファイルおよび構成を可能にすることができる切除ツールとして、レーザーが特に好ましい。例えば、レーザーは、ブランクの所与の位置を繰り返し通過して、異なる量の材料を繰り返し除去することができ、非常に細かく制御された切除プロファイルを可能にする。これは、幅が狭い、細かく切除された線が要求される場合に、特に有利である。切除領域にわたり変化する除去強度（「奥行き」）で任意の種類のパターンを形成するために、レーザーおよびブランクの相対運動を正確に制御することができる。
【００８１】
本発明を、添付図面を参照しながら、例証としてのみであるがさらに説明する。
【図面の簡単な説明】
【００８２】
【図１】図１は、ブランクのスプリングバック力を判定するために使用する薄層状ブランクの例示的な一部を図示する。
【図２】図２は、ブランクのスプリングバック力を判定するための装置を図示する。
【図３】図３は、本発明の第一の実施形態による、容器の製造のための層状ブランクの概略的な上面図を示す。
【図４Ａ】図４Ａは、図３の層状ブランクの一部の拡大図を示す。
【図４Ｂ】図４Ｂは、図４Ａの層状ブランクの一部のさらなる拡大図を示す。
【図５】図５は、本発明の第二の実施形態による容器の製造のための層状ブランクの一部の拡大図を示す。
【発明を実施するための形態】
【００８３】
図３は、本発明による消費財用容器を形成する厚紙薄層状ブランク３００の図である。
【００８４】
ブランク３００は、容器のボックス部を形成するボックスブランク部３００１および容器のリッド部を形成するリッドブランク部３００２を含む。ボックスブランク部３００１は、ヒンジ線３００３に沿って、リッドブランク部３００２から垂れ下がる。
【００８５】
ボックスブランク部分３００１は、前部壁パネル３０８、後部壁パネル３１２、および底部壁パネル３０９を備える。２つの側壁パネル３１０は、前部壁パネル３０８から延び、２つの側壁パネル３１１は後部壁パネル３１２から延び、２つのボックスダストフラップ３１３は側壁パネル３１１から延びる。容器のボックス部をボックスブランク部分３００１から組み立てるとき、前部壁パネル３０８は容器の前部壁を形成し、後部壁パネル３１２は容器の後部壁を形成し、側壁パネル３１０と３１１とは重なって左右の容器側壁を形成し、ボックスダストフラップ３１３は底部壁パネル３０９と重なって容器底部壁を形成する。側壁パネル３１０、３１１は相互に実質的に同一のサイズおよび形状である。容器が形成されたとき、側壁パネル３１０、３１１は互いに真上にあり、それらの自由端は実質的に整列しており、これにより内部側壁パネルはほとんど見ることができない。ボックスダストフラップ３１３は、底部壁パネル３０９より小さい。容器が形成されたとき、ボックスダストフラップ３１３は底部壁パネル３０９の内側になる。これらは容器の底部壁に追加的な構造的な支持を提供するが、容器の外側からは見えない。
【００８６】
リッドブランク部分３００２は、前部壁パネル３２２、後部壁パネル３２０、および上部壁パネル３１４を備える。２つの側壁パネル３１６は、前部壁パネル３２２から延び、２つの側壁パネル３１７は後部壁パネル３２０から延び、リッドダストフラップ３１９は側壁パネル３１７から延びる。容器のリッド部をリッドブランク部分３００２から組み立てるとき、前部壁パネル３２２は容器の前部壁を形成し、後部壁パネル３２０は容器の後部壁を形成し、側壁パネル３１６と３１７とは重なって左右の容器側壁を形成し、リッドダストフラップ３１９は上部壁パネル３１４と重なってリッド上部壁を形成する。側壁パネル３１６、３１７は相互に実質的に同一のサイズおよび形状である。容器が形成されたとき、側壁パネル３１６、３１７は互いに真上にあり、それらの自由端は実質的に整列しており、これにより内部側壁パネルはほとんど見ることができない。リッドダストフラップ３１９は、上部壁パネル３１４より小さい。容器が形成されたとき、リッドダストフラップ３１９は上部壁パネル３１４の内側になる。これらは容器の（リッド）上部壁に追加的な構造的な支持を提供するが、容器の外側からは見えない。
【００８７】
側部パネル３１０、３１１、３１７および３１６は、変更された端部３１００、３１１０、３１２０および３１３０によって、前部壁パネル３０８、後部壁パネル３１２、前部後部壁パネル３２０、および前部壁パネル３２２にそれぞれ結合される。それぞれの変更した縁部３１００、３１１０、３１２０および３１３０は、内部および外部表面を有する。図３に示す実施形態では、変更された端部３１００、３１１０、３１２０および３１３０は、それらのそれぞれの変更された端部３１００、３１１０、３１２０および３１３０の長手方向に平行に延伸する７つの筋付け線をそれぞれ含む。結果として、層状ブランク３００が変更された端部３１００、３１１０、３１２０および３１３０の周りに折り畳まれた時、湾曲した端部が、変更された端部３１００、３１１０、３１２０および３１３０により接続された壁の間の容器上に形成される。当然のことながら、変更された端部３１００、３１１０、３１２０および３１３０は、代替的にそれらのそれぞれの変更された端部３１００、３１１０、３１２０および３１３０の長手方向に平行に延伸する７本の切除された線をそれぞれ含むことができ、材料は、例えば、レーザー切除ツールによって、変更された端部３１００、３１１０、３１２０および３１３０の内部表面から切除される。
【００８８】
上部壁パネル３１４は、変更された端部３１４０によりリッド前部壁パネル３２２に接続される。図４Ａおよび図４Ｂにおける層状ブランク３００の拡大図で最良に見ることができるように、変更された端部３４１０は、接合部において変更された端部３１３０と接触する。
【００８９】
図４Ａおよび図４Ｂを参照すると、変更された端部３４１０は、第一の切除された線３１４１の形状における第一の虚弱線３１４１および第二の切除された線３１４２の形状における第二の虚弱線によって画定される。すなわち、変更された端部３１４０の周囲部は、第一の切除された線３１４１と、第二の切除された線３１４２と、第一の切除された線３１４１の先端と変更された端部３１３０との接合部における第二の切除された線３１４２の先端との間に延伸する自由端３１４３とを含む。変更された端部３４１０の周囲部は、全てではないが図４Ａまたは図４Ｂに示される。
【００９０】
層状ブランク３００が変更された端部３１４０の周りに折り畳まれた時、面取りした端部が、上部壁パネル３１４により形成された容器の上部壁とリッド前部壁パネル３２２により形成された容器のリッド前部壁との間の容器上に形成される。
【００９１】
図４Ｂで最良に見えるように、自由端３１４３は、湾曲した自由端部３１４３ｂおよび直線の自由端部３１４３ａを有する。湾曲した自由端部３１４３ｂは、第二の切除された線３１４２の先端から延伸し、直線の自由端部３１４３ａは、第一の切除された線３１４１の先端から延伸する。第一の切除された線３１４１は、第一の切除された線３１４１の先端を画定する湾曲した部分３１４１ａと、第一の切除された線３１４１の湾曲した部分３１４１ａから延伸する直線の部分３１４１ｂとを有する。第二の切除された線３１４２は直線である。
【００９２】
変更された端部３１３０は、第一の筋付け線３１３１と、第二の筋付け線３１３２と、第一の筋付け線３１３１の先端と変更された端部３１４０との接合部における第二の筋付け線３１３２の先端との間に延伸する自由端３１３３とを含む周囲部を有する。変更された端部３４１０の周囲部は、全てではないが図４Ａまたは図４Ｂに示される。変更された端部３１３０の自由端３１３３は、変更された端部３１４０の第一の湾曲した自由端部３１４３ｂの湾曲の中心としての接合部の同一の側部に位置する湾曲の中心をもつ第一の湾曲した自由端部３１３３ｂを含む。さらに、変更された端部３１３０の自由端３１３３は、第二の湾曲した自由端部３１３３ｃをさらに含み、第二の湾曲した自由端部３１３３ｃは、変更された端部３１３０の第一の湾曲した自由端部３１３３ｂの湾曲の中心の位置、および変更された端部３１４０の第一の湾曲した自由端部３１４３ｂの湾曲の中心の位置に対して接合部の対向する側部に位置する湾曲の中心をもつ。それ自体として、変更された端部３１３０の自由端３１３３は、実質的にＳの形の外形をもつ。実質的にＳの形の外形は、第三の筋付け線３１３４から第二の筋付け線３１３２まで延伸する。第三の筋付け線３１３４は、第一の筋付け線３１３１と第二の筋付け線３１３２との間に位置する。第三の筋付け線３１３４は、変更された端部３１３０におけるすべての筋付け線の中で第一の筋付け線３１３１に近接する筋付け線である。第三の筋付け線３１３４の先端は、第二の切除された線３１４２の先端に隣接する。
【００９３】
図５は、本発明の第二の実施形態による容器の製造のための層状ブランク３００Ａの一部の拡大図を示す。図５における層状ブランク３００Ａの一部の拡大図は、図４Ｂにおける層状ブランク３００の一部の拡大図に対応する。図５に示すように、第一の切除された線３１４１は直線である。第二の切除された線３１４２は直線である。ここで、変更された端部３１４０の自由端３１４３は、第一の切除された線３１４１の先端から第二の切除された線３１４２の先端まで延伸する湾曲した外形からなる。
【００９４】
ここで、変更された端部３１３０の自由端３１３３は、湾曲した自由端部３１３３ｂおよび直線の自由端部３１３３ａを有する。湾曲した自由端部３１４３ｂは、第三の筋付け線３１３４の先端から延伸し、直線の自由端部３１３３ａは、第二の切除された線３１４２の先端から延伸する。湾曲した自由端部３１３３ｂは、第四の筋付け線３１３５の長手位置と第五の筋付け線３１３６の長手位置との間の一点で直線の自由端部３１３３ａに隣接する。
【００９５】
第一の切除された線３１４１は、代替的に筋付け線の形状であることができ、第二の切除された線３１４２は、代替的に筋付け線の形状であることができることが理解されよう。
【図１】
2018527257.tif 000003
【図２】
2018527257.tif 000004
【図３】
2018527257.tif 000005
【図４Ａ】
2018527257.tif 000006
【図４Ｂ】
2018527257.tif 000007
【図５】
2018527257.tif 000008
【国際調査報告】
2018527257.tif 000009
2018527257.tif 000010